【手続補正書】
【提出日】平成20年1月29日(2008.1.29)
【手続補正１】
【補正対象書類名】明細書
【補正対象項目名】発明の名称
【補正方法】変更
【補正の内容】
【発明の名称】管理システム及び画像形成装置
【手続補正２】
【補正対象書類名】明細書
【補正対象項目名】特許請求の範囲
【補正方法】変更
【補正の内容】
【特許請求の範囲】
【請求項１】  インターネットに接続され、管理される画像形成装置と、
前記インターネットに接続され、前記画像形成装置を管理する管理装置と、
を有した管理システムにおいて、
前記インターネットに接続され、前記画像形成装置へ伝達する第１伝達情報、又は、前記管理装置へ伝達する第２伝達情報を記憶する中継記憶部を有した中継サーバーを設け、
前記画像形成装置は、前記インターネットを介して、前記中継サーバーにアクセスして、前記中継記憶部に記憶された第１伝達情報を取得し、及び／又は、前記中継サーバーに第２伝達情報を送信するとともに、
前記管理装置は、前記インターネットを介して、前記中継サーバーにアクセスして、前記中継記憶部に記憶された第２伝達情報を取得し、及び／又は、前記中継サーバーに第１伝達情報を送信することを特徴とする管理システム。
【請求項２】  第１のネットワークに接続され、前記第１のネットワーク内へ通過する情報を制限する第１のファイアウォールを介して、インターネットに接続された画像形成装置と、
第２のネットワークに接続され、 前記第２のネットワーク内へ通過する情報を制限する第２のファイアウォールを介して、前記インターネットに接続された管理装置と、
前記第１のネットワークから見て前記第１のファイアウォールより外であって、且つ前記第２のネットワークから見て前記第２のファイアウォールより外で、前記インターネットに接続され、前記画像形成装置へ伝達する第１伝達情報を記憶する中継記憶部を有した中継サーバーと、を有し、
前記管理装置が、前記中継サーバーに対して、前記画像形成装置の所定の動作に係る前記第１伝達情報を送信し、
前記中継サーバーは、送信された前記第１伝達情報を前記中継記憶部に記憶し、
前記画像形成装置は、前記中継サーバーにアクセスして、前記中継サーバーから前記第１伝達情報を取得し、取得した前記第１伝達情報に基づいて所定の動作を行うことを特徴とする管理システム。
【請求項３】  第１のネットワークに接続され、前記第１のネットワーク内へ通過する情報を制限する第１のファイアウォールを介して、インターネットに接続された画像形成装置と、
第２のネットワークに接続され、 前記第２のネットワーク内へ通過する情報を制限する第２のファイアウォールを介して、前記インターネットに接続された管理装置と、
前記第１のネットワークから見て前記第１のファイアウォールより外であって、且つ前記第２のネットワークから見て前記第２のファイアウォールより外で、前記インターネットに接続され、前記管理装置へ伝達する第２伝達情報を記憶する中継記憶部を有した中継サーバーと、を有し、
前記画像形成装置が、前記中継サーバーに対して、該画像形成装置に関する第２伝達情報を送信し、
前記中継サーバーは、送信された前記第２伝達情報を前記中継記憶部に記憶し、
前記管理装置は、前記中継サーバーにアクセスして、前記中継サーバーから前記第２伝達情報を取得することを特徴とする管理システム。
【請求項４】  前記第１伝達情報は、前記画像形成装置に所定動作を実行させるジョブ情報を有し、
前記画像形成装置は、取得した前記第１伝達情報における前記ジョブ情報に基づいて所定の動作を行うことを特徴とする請求項１または２に記載の管理システム。
【請求項５】  前記画像形成装置は、プログラム又はデータを記憶する記憶部を有し、前記記憶部に記憶された前記プログラム又はデータに基づいて制御を行い、
前記ジョブ情報は、前記プログラムを更新プログラムに書き換えるため又は前記データを更新データに書き換えるための更新情報であり、
前記画像形成装置は、取得した前記更新情報に基づいて、前記被管理記憶部に記憶された前記プログラム又はデータを、前記更新プログラム又は前記更新データに書き換えることを特徴とする請求項４に記載の管理システム。
【請求項６】  前記画像形成装置は、取得した前記更新情報に基づいて、前記更新プログラム又は前記更新データをダウンロードし、前記記憶部に記憶された前記プログラム又は前記データを、前記更新プログラム又は前記更新データに書き換えることを特徴とする請求項５に記載の管理システム。
【請求項７】  前記画像形成装置は、前記更新プログラム又は前記更新データに書き換えているあいだ、前記中継サーバーへのアクセスを中断することを特徴とする請求項５又は６に記載の管理システム。
【請求項８】  前記第１伝達情報は、伝達先の画像形成装置を特定するための対象機ＩＤ情報を有し、
前記画像形成装置は、前記中継サーバーにアクセスして、前記対象機ＩＤ情報に基づいて第１伝達情報を取得することを特徴とする請求項１、２、４ないし７のいずれか１つに記載の管理システム。
【請求項９】  前記ジョブ情報は、前記画像形成装置が前記中継サーバーへ前記画像形成装置に関する第２伝達情報を送信するための送信指示情報であり、
前記画像形成装置は、取得した前記第１伝達情報における前記送信指示情報に基づいて、前記中継サーバーへ第２伝達情報を送信することを特徴とする請求項４ないし８のいずれか１つに記載の管理システム。
【請求項１０】  前記第２伝達情報は、前記画像形成装置による画像形成回数、前記画像形成装置の構成要素の使用回数、記録材のサイズ毎の画像形成回数、前記画像形成装置の機能毎の画像形成回数のいずれか１つを含むことを特徴とする請求項１，３，９のいずれか１つに記載の管理システム。
【請求項１１】  前記第２伝達情報は、前記画像形成装置に生じた異常に基づく緊急情報もしくはエラー情報であることを特徴とする請求項１，３，９のいずれか１つに記載の管理システム。
【請求項１２】  前記画像形成装置は、異常の発生を検知する検知手段と、
前記検知手段により検知された異常が緊急を要するか否か判断する判断手段と、を有し、
前記判断手段が、緊急を要すると判断した場合は、前記緊急情報を、前記中継サーバーに送信することを特徴とする請求項１１に記載の管理システム。
【請求項１３】  前記第１伝達情報を送信した前記管理装置又は前記第２伝達情報を送信した前記画像形成装置は、前記中継サーバーが前記第１伝達情報又は前記第２伝達情報を正常に受け取ったか否かの確認のために、前記中継サーバーにアクセスすることを特徴とする請求項１ないし１２のいずれか１つに記載の管理システム。
【請求項１４】  前記第１伝達情報を送信した前記管理装置又は前記第２伝達情報を送信した前記画像形成装置は、前記中継サーバーにアクセスして、前記中継サーバーが前記第１伝達情報又は前記第２伝達情報を正常に受け取ったか否かの確認した結果、正常に受け取っていない場合、前記第１伝達情報又は前記第２伝達情報を、再度、送信することを特徴とする請求項１３に記載の管理システム。
【請求項１５】  前記画像形成装置又は前記管理装置は、所定時間間隔毎、所定時刻、所定タイミング、所定の条件を満たしたタイミングのうち少なくとも１つのタイミングで、前記中継サーバーにアクセスすることを特徴とする請求項１ないし１４のいずれか１つに記載の管理システム。
【請求項１６】  前記中継サーバーは複数の中継サーバを備えることを特徴とする請求項１ないし１５のいずれか１つに記載の管理システム。
【請求項１７】  前記画像形成装置又は前記管理装置は、前記複数の中継サーバーのうち予め設定された第１中継サーバーにアクセスするとともに、前記第１中継サーバーへのアクセスが不可能な場合、前記第１中継サーバーとは異なる中継サーバーにアクセスすることを特徴とする請求項１６に記載の管理システム。
【請求項１８】  前記管理装置は、前記複数の中継サーバーの内、第１中継サーバーに対して前記第１伝達情報を送信し、前記画像形成装置は、前記第１中継サーバーとは異なる第２の中継サーバーへ前記第２伝達情報を送信することを特徴とする請求項１６に記載の管理システム。
【請求項１９】  インターネットに接続される画像形成装置であって、
前記インターネットに接続され、前記画像形成装置を管理する管理装置と、
前記インターネットに接続され、前記画像形成装置へ伝達する第１伝達情報、又は、前記管理装置へ伝達する第２伝達情報を記憶する中継記憶部を有した中継サーバーとを備える管理システムにおける画像形成装置において、
前記画像形成装置は、前記インターネットを介して、前記中継サーバーにアクセスして、前記中継記憶部に記憶された第１伝達情報を取得し、及び／又は、前記中継サーバーに第２伝達情報を送信するとともに、
前記画像形成装置は、所定時間間隔毎、所定時刻、所定タイミング、所定の条件を満たしたタイミングのうち少なくとも１つのタイミングで、前記中継サーバーにアクセスすることを特徴とする画像形成装置。
【手続補正３】
【補正対象書類名】明細書
【補正対象項目名】００１０
【補正方法】変更
【補正の内容】
【００１０】
【課題を解決するための手段】
請求項１に記載の管理システムは、インターネットに接続され、管理される画像形成装置と、前記インターネットに接続され、前記画像形成装置を管理する管理装置と、を有した管理システムにおいて、前記インターネットに接続され、前記画像形成装置へ伝達する第１伝達情報、又は、前記管理装置へ伝達する第２伝達情報を記憶する中継記憶部を有した中継サーバーを設け、前記画像形成装置は、前記インターネットを介して、前記中継サーバーにアクセスして、前記中継記憶部に記憶された第１伝達情報を取得し、及び／又は、前記中継サーバーに第２伝達情報を送信するとともに、前記管理装置は、前記インターネットを介して、前記中継サーバーにアクセスして、前記中継記憶部に記憶された第２伝達情報を取得し、及び／又は、前記中継サーバーに第１伝達情報を送信するので、例えば前記画像形成装置と前記中継サーバーとの間にファイアウォールが構築されていたような場合でも、前記中継サーバーに記憶された前記第１伝達情報を読み取ることによって、前記画像形成装置自ら、前記中継サーバーに前記第２伝達情報を送信するようにし向けることができる。ファイアウォールは、その内部からの情報伝達は許容するので、前記管理装置は、前記中継サーバーが受信した前記第２伝達情報を読み取ることにより、間接的に前記第２伝達情報を取得することが可能となる。
請求項２に記載の管理システムは、第１のネットワークに接続され、前記第１のネットワーク内へ通過する情報を制限する第１のファイアウォールを介して、インターネットに接続された画像形成装置と、第２のネットワークに接続され、 前記第２のネットワーク内へ通過する情報を制限する第２のファイアウォールを介して、前記インターネットに接続された管理装置と、前記第１のネットワークから見て前記第１のファイアウォールより外であって、且つ前記第２のネットワークから見て前記第２のファイアウォールより外で、前記インターネットに接続され、前記画像形成装置へ伝達する第１伝達情報を記憶する中継記憶部を有した中継サーバーと、を有し、前記管理装置が、前記中継サーバーに対して、前記画像形成装置の所定の動作に係る前記第１伝達情報を送信し、前記中継サーバーは、送信された前記第１伝達情報を前記中継記憶部に記憶し、前記画像形成装置は、前記中継サーバーにアクセスして、前記中継サーバーから前記第１伝達情報を取得し、取得した前記第１伝達情報に基づいて所定の動作を行うことを特徴とする。
請求項３に記載の管理システムは、第１のネットワークに接続され、前記第１のネットワーク内へ通過する情報を制限する第１のファイアウォールを介して、インターネットに接続された画像形成装置と、第２のネットワークに接続され、 前記第２のネットワーク内へ通過する情報を制限する第２のファイアウォールを介して、前記インターネットに接続された管理装置と、前記第１のネットワークから見て前記第１のファイアウォールより外であって、且つ前記第２のネットワークから見て前記第２のファイアウォールより外で、前記インターネットに接続され、前記管理装置へ伝達する第２伝達情報を記憶する中継記憶部を有した中継サーバーと、を有し、前記画像形成装置が、前記中継サーバーに対して、該画像形成装置に関する第２伝達情報を送信し、前記中継サーバーは、送信された前記第２伝達情報を前記中継記憶部に記憶し、前記管理装置は、前記中継サーバーにアクセスして、前記中継サーバーから前記第２伝達情報を取得することを特徴とする。
【手続補正４】
【補正対象書類名】明細書
【補正対象項目名】００１１
【補正方法】変更
【補正の内容】
【００１１】
請求項４に記載の管理システムは、前記第１伝達情報が、前記画像形成装置に所定動作を実行させるジョブ情報を有し、前記画像形成装置は、取得した前記第１伝達情報における前記ジョブ情報に基づいて所定の動作を行えば、前記ジョブ情報に、前記第２伝達情報の送信命令を含ませることにより、前記画像形成装置自らから前記第２伝達情報を送信させることが可能となる。
【手続補正５】
【補正対象書類名】明細書
【補正対象項目名】００１２
【補正方法】変更
【補正の内容】
【００１２】
請求項５に記載の管理システムは、前記画像形成装置が、プログラム又はデータを記憶する記憶部を有し、前記記憶部に記憶された前記プログラム又はデータに基づいて制御を行い、前記ジョブ情報は、前記プログラムを更新プログラムに書き換えるため又は前記データを更新データに書き換えるための更新情報であり、前記画像形成装置は、取得した前記更新情報に基づいて、前記記憶部に記憶された前記プログラム又はデータを、前記更新プログラム又は前記更新データに書き換えれば、サービスマンが画像形成装置に出向いて、前記プロラムやデータを書き換える必要がなくなり、メンテナンスの手間と費用が削減される。尚、「ジョブ情報」には、画像形成装置のプログラムやデータの取得・書き換を実行させるための「更新情報」と、カウンタなどの情報を送信するよう指示する「送信指示情報」などがあるが、これに限られない。
【手続補正６】
【補正対象書類名】明細書
【補正対象項目名】００１３
【補正方法】変更
【補正の内容】
【００１３】
請求項６に記載の管理システムは、前記画像形成装置が、取得した前記更新情報に基づいて、前記更新プログラム又は前記更新データをダウンロードし、前記記憶部に記憶された前記プログラム又は前記データを、前記更新プログラム又は前記更新データに書き換えれば、サービスマンなどが画像形成装置に出向いて、前記プロラムやデータを書き換える必要がなくなり、メンテナンスの手間と費用が削減される。
【手続補正７】
【補正対象書類名】明細書
【補正対象項目名】００１４
【補正方法】変更
【補正の内容】
【００１４】
請求項７に記載の管理システムは、前記画像形成装置が、前記更新プログラム又は前記更新データに書き換えているあいだ、前記中継サーバーへのアクセスを中断すれば、前記更新プログラム又は前記更新データに書き換え不良などの万が一のトラブルを抑制できる。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】変更
【補正の内容】
【００１８】
請求項８に記載の管理システムは、前記第１伝達情報が、伝達先の画像形成装置を特定するための対象機ＩＤ情報を有し、前記画像形成装置は、前記中継サーバーにアクセスして、前記対象機ＩＤ情報に基づいて第１伝達情報を取得すれば、対象機ＩＤ情報で特定される前記画像形成装置のみに、前記第１伝達情報を伝達できるので便利である。また、外部から不正な情報が前記画像形成装置に伝達されることも防止される。
【手続補正１２】
【補正対象書類名】明細書
【補正対象項目名】００１９
【補正方法】変更
【補正の内容】
【００１９】
請求項９に記載の管理システムは、前記ジョブ情報が、前記画像形成装置が前記中継サーバーへ前記画像形成装置に関する第２伝達情報を送信するための送信指示情報であり、
前記画像形成装置は、取得した前記第１伝達情報における前記送信指示情報に基づいて、前記中継サーバーへ第２伝達情報を送信すれば好ましい。尚、「第２伝達情報」には、「送信指示情報」に基づいて送信する「装置データ情報」や、異常時の「緊急情報」などがあるが、これに限られない。
請求項１０に記載の管理システムは、前記第２伝達情報が、前記画像形成装置による画像形成回数、前記画像形成装置の構成要素の使用回数、記録材のサイズ毎の画像形成回数、前記画像形成装置の機能毎の画像形成回数のいずれか１つを含むと好ましい。
請求項１１に記載の管理システムは、前記第２伝達情報が、前記画像形成装置に生じた異常に基づく緊急情報もしくはエラー情報であれば、前記管理装置側で迅速に異常に気づくため好ましい。
【手続補正１３】
【補正対象書類名】明細書
【補正対象項目名】００２０
【補正方法】変更
【補正の内容】
【００２０】
請求項１２に記載の管理システムは、前記画像形成装置が、異常の発生を検知する検知手段と、前記検知手段により検知された異常が緊急を要するか否か判断する判断手段と、を有し、前記判断手段が、緊急を要すると判断した場合は、前記緊急情報を、前記中継サーバーに送信すれば、前記管理装置側で迅速に異常に気づくため好ましい。
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】変更
【補正の内容】
【００２２】
請求項１３に記載の管理システムは、前記第１伝達情報を送信した前記管理装置又は前記第２伝達情報を送信した前記画像形成装置は、前記中継サーバーが前記第１伝達情報又は前記第２伝達情報を正常に受け取ったか否かの確認のために、前記中継サーバーにアクセスすると、伝達が正常に行われたか否か確認でき、正常に行われていなければ再送信などの措置がとれるので好ましい。尚、「正常に受け取っていない」とは、送信すらできなかった、送信したが相手に届かなかった、相手に届いたが届いたデータに誤りがある（例えば、チェックサムなどによるエラーチェックの結果）などの態様が考えられるが、これに限られない。
【手続補正１６】
【補正対象書類名】明細書
【補正対象項目名】００２３
【補正方法】変更
【補正の内容】
【００２３】
請求項１４に記載の管理システムは、前記第１伝達情報を送信した前記管理装置又は前記第２伝達情報を送信した前記画像形成装置は、前記中継サーバーにアクセスして、前記中継サーバーが前記第１伝達情報又は前記第２伝達情報を正常に受け取ったか否かの確認した結果、正常に受け取っていない場合、前記第１伝達情報又は前記第２伝達情報を、再度、送信するので、情報伝達を確実に行え好ましい。
【手続補正１７】
【補正対象書類名】明細書
【補正対象項目名】００２４
【補正方法】変更
【補正の内容】
【００２４】
請求項１５に記載の管理システムは、前記画像形成装置又は前記管理装置が、所定時間間隔毎、所定時刻、所定タイミング、所定の条件を満たしたタイミングのうち少なくとも１つのタイミングで、前記中継サーバーにアクセスすると好ましい。尚、「所定時刻」とは、例えば、○時、毎週○曜日の○時、毎月○日の○時など予め設定された時刻のことである。又、「所定タイミング」とは、例えば画像形成装置の起動時（電源オン時）や所定の操作が行われたときである。更に、「所定の条件を満たしたタイミング」とは、たとえば、画像形成回数が予め設定された回数に達したときや、検出した異常情報のうち予め設定されている異常情報を検出したときである。しかし、本発明はこれらの例に限定されない。
【手続補正１８】
【補正対象書類名】明細書
【補正対象項目名】００２５
【補正方法】変更
【補正の内容】
【００２５】
請求項１６に記載の管理システムにおいて、前記中継サーバーが複数の中継サーバを備えると、１台の中継サーバーにアクセスが集中することがなく、回線ビジーなどの不具合を抑制出来るため好ましい。
【手続補正１９】
【補正対象書類名】明細書
【補正対象項目名】００２６
【補正方法】変更
【補正の内容】
【００２６】
請求項１７に記載の管理システムは、前記画像形成装置又は前記管理装置が、前記複数の中継サーバーのうち予め設定された第１中継サーバーにアクセスするとともに、前記第１中継サーバーへのアクセスが不可能な場合、前記第１中継サーバーとは異なる中継サーバーにアクセスすると、前記第１中継サーバーにトラブルが生じても、管理システム全体が停止するというような不具合を抑制できるのでこのましい。
【手続補正２０】
【補正対象書類名】明細書
【補正対象項目名】００２７
【補正方法】変更
【補正の内容】
【００２７】
請求項１８に記載の管理システムは、前記管理装置が、前記複数の中継サーバーの内、第１中継サーバーに対して前記第１伝達情報を送信し、前記画像形成装置は、前記第１中継サーバーとは異なる第２の中継サーバーへ前記第２伝達情報を送信すると好ましい。
【手続補正２１】
【補正対象書類名】明細書
【補正対象項目名】００２８
【補正方法】変更
【補正の内容】
【００２８】
請求項１９に記載の画像形成装置は、インターネットに接続される画像形成装置であって、前記インターネットに接続され、前記画像形成装置を管理する管理装置と、前記インターネットに接続され、前記画像形成装置へ伝達する第１伝達情報、又は、前記管理装置へ伝達する第２伝達情報を記憶する中継記憶部を有した中継サーバーとを備える管理システムにおける画像形成装置において、前記画像形成装置は、前記インターネットを介して、前記中継サーバーにアクセスして、前記中継記憶部に記憶された第１伝達情報を取得し、及び／又は、前記中継サーバーに第２伝達情報を送信するとともに、前記画像形成装置は、所定時間間隔毎、所定時刻、所定タイミング、所定の条件を満たしたタイミングのうち少なくとも１つのタイミングで、前記中継サーバーにアクセスすることを特徴とする。
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】変更
【補正の内容】
【００３９】
本明細書中、記録材上に画像を形成する「画像形成装置」とは、コピーやプリンターなどをいうが、画像形成の態様に限られず、静電方式、インクジェット方式、銀塩方式など各種の態様が考えられる。
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】
【手続補正３５】
【補正対象書類名】明細書
【補正対象項目名】００４２
【補正方法】削除
【補正の内容】
【手続補正３６】
【補正対象書類名】明細書
【補正対象項目名】００４３
【補正方法】削除
【補正の内容】
【手続補正３７】
【補正対象書類名】明細書
【補正対象項目名】００４４
【補正方法】削除
【補正の内容】
【手続補正３８】
【補正対象書類名】明細書
【補正対象項目名】００４５
【補正方法】削除
【補正の内容】
【手続補正３９】
【補正対象書類名】明細書
【補正対象項目名】００４６
【補正方法】削除
【補正の内容】
【手続補正４０】
【補正対象書類名】明細書
【補正対象項目名】００４７
【補正方法】削除
【補正の内容】
【手続補正４１】
【補正対象書類名】明細書
【補正対象項目名】００４８
【補正方法】削除
【補正の内容】
【手続補正４２】
【補正対象書類名】明細書
【補正対象項目名】００４９
【補正方法】削除
【補正の内容】
【手続補正４３】
【補正対象書類名】明細書
【補正対象項目名】００５０
【補正方法】削除
【補正の内容】
【手続補正４４】
【補正対象書類名】明細書
【補正対象項目名】００５１
【補正方法】削除
【補正の内容】
【手続補正４５】
【補正対象書類名】明細書
【補正対象項目名】００５２
【補正方法】削除
【補正の内容】
【手続補正４６】
【補正対象書類名】明細書
【補正対象項目名】００５３
【補正方法】削除
【補正の内容】
【手続補正４７】
【補正対象書類名】明細書
【補正対象項目名】００５４
【補正方法】削除
【補正の内容】
【手続補正４８】
【補正対象書類名】明細書
【補正対象項目名】００５５
【補正方法】削除
【補正の内容】
【手続補正４９】
【補正対象書類名】明細書
【補正対象項目名】００５６
【補正方法】削除
【補正の内容】
【手続補正５０】
【補正対象書類名】明細書
【補正対象項目名】００５７
【補正方法】削除
【補正の内容】
【手続補正５１】
【補正対象書類名】明細書
【補正対象項目名】００５８
【補正方法】削除
【補正の内容】
【手続補正５２】
【補正対象書類名】明細書
【補正対象項目名】００５９
【補正方法】削除
【補正の内容】
【手続補正５３】
【補正対象書類名】明細書
【補正対象項目名】００６０
【補正方法】削除
【補正の内容】
【手続補正５４】
【補正対象書類名】明細書
【補正対象項目名】００６１
【補正方法】削除
【補正の内容】
【手続補正５５】
【補正対象書類名】明細書
【補正対象項目名】００６２
【補正方法】削除
【補正の内容】
【手続補正５６】
【補正対象書類名】明細書
【補正対象項目名】００６３
【補正方法】削除
【補正の内容】
【手続補正５７】
【補正対象書類名】明細書
【補正対象項目名】００６４
【補正方法】削除
【補正の内容】
【手続補正５８】
【補正対象書類名】明細書
【補正対象項目名】０１５６
【補正方法】変更
【補正の内容】
【０１５６】
【発明の効果】
本発明によれば、ファイアウォールの有無に関わらず、インターネットなどのネットワークを利用して、画像形成装置の状態を的確に把握することが可能な管理システム及び画像形成装置を提供することが出来る。又、本発明によれば、適切なタイミングで、データを画像形成装置から管理装置側へと提供できる管理システム及び画像形成装置を提供することができる。